(57)【要約】【課題】仮止め機能を備えた換気装置を施工する際の施工時間の短縮を図る。【解決手段】副吸込ダクトジョイント５０は、フランジ部５３に突出片５４を備える。突出片５４には孔５５が形成される。装置本体１０は、本体フランジ部１４に突出片用の本体フランジ孔１８を備えると共に、本体フランジ部１４下面にスライド可能な仮止め部材６０を備える。施工時に、装置本体１０の開口部への差し込みより本体フランジ部１４がフランジ部５３に重ね合わされると、副吸込ダクトジョイント５０の突出片５４が本体フランジ孔１８を介して本体フランジ部１４の下面から突き出すので、その突き出した突出片５４の孔５５に、仮止め部材６０をスライドさせて挿入する。これにより、装置本体１０が天井（副吸込ダクトジョイント５０）に仮止めされる。【選択図】図９
2014035156.tif 000002
【特許請求の範囲】
【請求項１】
天井に形成された開口部に取り付けられる換気装置であって、
本体フランジ部と、室内の空気を吸い込む吸込口と、空気を室外に排気する排気口と少なくも一方を有する換気装置本体と、
前記換気装置本体の前記排気口又は前記吸込口に接続され、前記天井の室内側の開口縁に位置するフランジ部を有するダクト接続部材とを備え、
前記ダクト接続部材には、前記換気装置本体を保持するための保持部が設けられ、
前記換気装置本体の前記本体フランジ部には、前記保持部を係止する係止部が設けられた
ことを特徴とする換気装置。
【請求項２】
前記ダクト接続部材は、前記排気口に接続された排気ダクト接続部材と、前記吸込口に接続された吸込ダクト接続部材とからなり、
前記排気ダクト接続部材は、前記吸込ダクト接続部材が接続する前記換気装置本体の側面とは異なる側面に接続された
ことを特徴とする請求項１に記載の換気装置。
【請求項３】
前記保持部は、前記換気装置本体の前記本体フランジ部の前記係止部に係止された状態で、前記換気装置本体が天井に固定されていない場合に、前記換気装置本体の前記本体フランジ部と前記天井との間に隙間を空ける構造を有した
ことを特徴とする請求項１または請求項２に記載の換気装置。
【請求項４】
前記吸込ダクト接続部材は、前記天井に取り付けられ、
前記排気ダクト接続部材は、前記換気装置本体の前記排気口に取り付けられる
ことを特徴とする請求項２または請求項３に記載の換気装置。
【請求項５】
前記保持部は、前記前記フランジの下面から突出すると共に、開口孔が設けられた保持片により構成され、
前記係止部は、前記本体フランジの下面に摺動可能に設けられ、前記保持片の前記開口部に挿入される擦動部材により構成される
ことを特徴とする請求項１〜請求項４の何れか一項に記載の換気装置。
【発明の詳細な説明】
【技術分野】
【０００１】
本発明は、浴室や洗面脱衣所の換気を行う換気装置に関する。
【背景技術】
【０００２】
従来から、室内の吸い込んだ空気をダクトを通して屋外等に排気する浴室換気装置が広く使用されている。この浴室換気装置を天井に形成された開口部に取り付ける場合には、例えば、装置本体を天井の開口部の近くまで持ち上げて装置本体を開口部に差し込み、その後、天井の開口部に予め取り付けられたダクトに装置本体を接続させることで、装置本体の天井への取り付けを行っている。
【０００３】
この浴室換気装置の施工工程では、施工者の片手や体の一部で装置本体を支持した状態で、他方の手でねじを天井に打ち込む作業が必要となる。そのため、施工者の力がない場合や、施工の慣れがないと、不完全な施工となったり、施工途中に装置本体ねじの落下が発生してしまうという問題がある。
【０００４】
このような施工不良等を防止するために、例えば、取付枠の枠フランジ部に引掛部を設けると共に、空調装置本体の本体フランジ部に仮固定受け金具を設け、取付枠の引掛部に本体フランジ部の仮固定受け金具を係合させることで、空調装置本体を取付枠に固定する空調装置が開示されている（例えば、特許文献１参照）。
【０００５】
また、他の装置として、空調装置本体の外壁面に弁状のばね材金具による仮止め機構を設け、空調装置本体を天井の開口部に差し込んだ後に、ばね材金具が開くように構成することにより、施工時の空調装置本体の天井からの落下を防止する空調装置も提案されている。
【先行技術文献】
【特許文献】
【０００６】
【特許文献１】特開２０１０−１５９９０６号公報
【発明の概要】
【発明が解決しようとする課題】
【０００７】
しかしながら、特許文献１等に開示される取付枠を用いた空調装置の施工方法では、空調装置本体を天井に取り付けるためのねじ以外に、取付枠を天井に取り付けるための複数本のねじを使用しなければならない。そのため、空調装置本体の施工に時間がかかってしまうと言う問題がある。また、空調装置本体の重量合計が取付枠の分重くなるので、天井への負荷、施工労力が大きくなってしまうと共に、取付枠分のコストも余計にかかってしまうと言う問題もある。
【０００８】
また、本体外装に弁状のばね材金具を用いる方法では、空調装置のメンテナンス時の天井からの空調装置本体の取り出しや再施工を行う場合に、天井裏で仮止め用のばね材金具を取り外してから、空調装置本体を天井から取り外す必要がある。そのため、施工の手間（作業時間）がかかると言う問題がある。また、この空調装置本体の天井からの取り外し作業は、空調装置本体の仮止め機構の構造を予め知っていないと対応できないと言う問題もある。
【０００９】
そこで、本発明は、上記課題に鑑みてなされたものであり、その目的は、仮止め機能を備えた換気装置を施工する際の施工時間の短縮を図ることが可能な換気装置を提供することにある。
【課題を解決するための手段】
【００１０】
本発明は、上記課題を解決するために、天井に形成された開口部に取り付けられる換気装置であって、本体フランジ部と、室内の空気を吸い込む吸込口と、空気を室外に排気する排気口と少なくも一方を有する換気装置本体と、換気装置本体の排気口又は吸込口に接続され、天井の室内側の開口縁に位置するフランジ部を有するダクト接続部材とを備え、ダクト接続部材には、換気装置本体を保持するための保持部が設けられ、換気装置本体の本体フランジ部には、保持部を係止する係止部が設けられたものである。
【発明の効果】
【００１１】
本発明によれば、ダクト接続部材のフランジ部の保持部が装置本体の本体フランジ部の係止部により係止されるので、取付枠やばね材金具を用いることなく、ダクト接続部材に装置本体を仮止めすることができる。これにより、施工時間の短縮化を図ることができると共に、メンテナンス時や再施工時の取り外し作業を容易とすることができる。
【図面の簡単な説明】
【００１２】
【図１】本発明の一実施形態に係る浴室換気乾燥暖房装置の全体構成例を示す図である。
【図２】浴室換気乾燥暖房装置の構成例を示す断面図である。
【図３】浴室換気乾燥暖房装置の構成例を示す分解斜視図である。
【図４】浴室換気乾燥暖房装置の下面側の構成例を示す図である。
【図５】収容部の構成例を示す図である。
【図６】仮止め部材の構成例を示す図である。
【図７】副吸込ダクトジョイントの構成例を示す図である。
【図８】浴室換気乾燥暖房装置の施工工程例を示す図である。
【図９】施工時の副吸込ダクトジョイントのフランジ部および装置本体の本体フランジ部を示す図である（その１）。
【図１０】施工時の副吸込ダクトジョイントのフランジ部および装置本体の本体フランジ部を示す図である（その２）。
【図１１】仮止め部材の動作例を示す図である。
【図１２】副吸込ダクトジョイントおよび排気ダクトジョイントの両方に仮止め機能を設けた場合におけるネジ止め忘れ防止機能を説明するための図である。
【図１３】副吸込ダクトジョイント５０側の仮止めの状態を示す図である。
【図１４】副吸込ダクトジョイントの一方に仮止め機能を設けた場合におけるネジ止め忘れ防止機能を説明するための図である。
【図１５】一室タイプの浴室換気乾燥暖房装置を用いた場合におけるネジ止め忘れ防止機能を説明するための図である。
【発明を実施するための形態】
【００１３】
以下、図面を参照して、本発明の換気装置としての浴室換気乾燥暖房装置の実施の形態について説明する。
［浴室換気乾燥暖房装置の構成例］
図１は、本実施の形態の浴室換気乾燥暖房装置１Ａの一例を示す全体構成図、図２は、本実施の形態の浴室換気乾燥暖房装置１Ａの一例を示す断面図、図３は本実施の形態の浴室換気乾燥暖房装置１Ａの分解斜視図である。
【００１４】
本実施の形態の浴室換気乾燥暖房装置１Ａは、図１〜図３に示すように、装置本体１０が浴室１００の天井１００ａに形成された開口部１００ｂに設置される。浴室換気乾燥暖房装置１Ａは、空気が吸い込まれる吸込口グリル１１ａおよび空気が吹き出される吹出口グリル１１ｂを備えたフロントパネル１１が装置本体１０の下面に取り付けられ、フロントパネル１１が浴室１００の天井１００ａに露出する。
【００１５】
浴室１００の天井１００ａに設置された浴室換気乾燥暖房装置１Ａは、排気ダクト１２が接続される。排気ダクト１２は、図示しない建物の外壁１０１に設置された屋外グリル１２ａと接続される。
【００１６】
また、浴室換気乾燥暖房装置１Ａは、副吸込ダクト１３が接続される。副吸込ダクト１３は、他室である洗面脱衣所１０２の天井に１０２ａに設置された副吸込口グリル１３ａと接続される。なお、副吸込ダクト１３は複数設けても良い。例えば、２つの副吸込ダクト１３を用いた場合、一方の副吸込ダクト１３を洗面脱衣所１０２に設置し、他方の副吸込ダクト１３をトイレに設置する。このとき、洗面脱衣所１０２とトイレの両方から空気が吸い込まれる構成としても良いし、どちらか一方から空気が吸い込まれる構成としても良い。
【００１７】
浴室換気乾燥暖房装置１Ａは、浴室１００の空気を、装置本体１０の吸込口グリル１１ａから吸い込んで、排気ダクト１２を介して屋外に排気すると共に、他室である洗面脱衣所１０２の空気を、副吸込口グリル１３ａから副吸込ダクト１３を介して吸い込んで、排気ダクト１２を介して屋外に排気する換気ファン２を備える。
【００１８】
また、浴室換気乾燥暖房装置１Ａは、浴室１００の空気を、装置本体１０の吸込口グリル１１ａから吸い込んで、装置本体１０の吹出口グリル１１ｂから浴室１００に吹き出す循環ファン３と、循環ファン３で吹出口グリル１１ｂから浴室１００に吹き出される空気の温度を制御するヒータ４を備える。
【００１９】
換気ファン２は、送風手段である換気送風手段の一例で、軸方向から空気を吸い込み、遠心方向に吹き出す遠心ファンで構成される。換気ファン２は、図２に示すように、多翼の羽根車２０と、羽根車２０を回転させる換気ファンモータ２１と、風路を形成する換気ファンケース２２を備える。
【００２０】
換気ファン２は、羽根車２０の軸方向から空気が吸い込まれ、羽根車２０の遠心方向に沿った側方に向けて空気が吹き出される換気ファン吹出風路２２ａが、換気ファンケース２２により形成される。
【００２１】
浴室換気乾燥暖房装置１Ａは、循環ファン３の上側に換気ファン２が配置される構成で、換気ファン２において、羽根車２０の軸方向に沿った換気ファンケース２２の上面に、空気が吸い込まれる換気ファン吸込口２２ｂが形成される。
【００２２】
循環ファン３は、送風手段である循環送風手段の一例で、換気ファン２と同様に遠心ファンで構成される。循環ファン３は、図２に示すように、多翼の羽根車３０と、羽根車３０を回転させる循環ファンモータ３１と、風路を形成する循環ファンケース３２を備える。
【００２３】
循環ファン３は、羽根車３０の軸方向から空気が吸い込まれ、羽根車３０の遠心方向に沿った側方に向けて空気が吹き出される循環ファン吹出風路３２ａが、循環ファンケース３２により形成される。
【００２４】
また、浴室換気乾燥暖房装置１Ａは、換気ファンケース２２および循環ファンケース３２の側方に浴室吸込風路２３が形成され、装置本体１０の下面に、浴室吸込風路２３を介して換気ファン吸込口２２ｂと連通した換気吸込口２２ｃが形成される。
【００２５】
さらに、浴室換気乾燥暖房装置１Ａは、換気ファンケース２２および循環ファンケース３２の上方に他室吸込風路２４が形成され、装置本体１０の一の側面に、他室吸込風路２４を介して換気ファン吸込口２２ｂと連通した単一の副吸込口２２ｄが形成される。
【００２６】
また、浴室換気乾燥暖房装置１Ａは、装置本体１０の他の側面に、換気ファン２の換気ファン吹出風路２２ａと連通した排気吹出口２２ｅが形成される。
【００２７】
浴室換気乾燥暖房装置１Ａは、装置本体１０の下面の一部が循環ファンケース３２の下面で構成され、循環ファン３において、羽根車３０の軸方向に沿った循環ファンケース３２の下面である装置本体１０の下面に、空気が吸い込まれる循環ファン吸込口３２ｂが形成される。
【００２８】
また、浴室換気乾燥暖房装置１Ａは、循環ファン３において、循環ファンケース３２の下面である装置本体１０の下面に、循環ファン吹出風路３２ａと連通して空気が吹き出される循環ファン吹出口３２ｃが形成され、循環ファン吹出口３２ｃの内側にヒータ４が設けられる。
【００２９】
ヒータ４は加熱手段の一例で、本例ではＰＴＣヒータで構成される。浴室換気乾燥暖房装置１Ａは、ヒータ４が通電されることで発熱し、循環ファン吹出口３２ｃから吹き出される空気を加熱する。
【００３０】
浴室換気乾燥暖房装置１Ａは、装置本体１０の側面および上面を覆う形状の金属ケース５を備える。浴室換気乾燥暖房装置１Ａは、樹脂材料で構成された換気ファンケース２２および循環ファンケース３２が金属ケース５で覆われている。装置本体１０の下端部には、外方向に張り出した本体フランジ部１４が装置本体１０の周方向に沿って枠状に形成されている。
【００３１】
本体フランジ部１４下面には、装置本体１０を天井１００ａに施工する際に装置本体１０を仮止めするための仮止め部材６０が設けられている。仮止め部材６０は、係止部の一例であり、装置本体１０を開口部１００ｂに差し込んだときに、本体フランジ孔から突き出した副吸込ダクトジョイント５０下面の突出片５４を係止することで、副吸込ダクトジョイント５０や排気ダクトジョイント４０に装置本体１０を仮止めする。仮止め部材６０の詳細については後述する。
【００３２】
金属ケース５と、換気ファンケース２２および循環ファンケース３２の側面との間、金属ケース５と、換気ファンケース２２の上面との間に形成される連通した空間で、浴室吸込風路２３が形成される。また、金属ケース５と、換気ファンケース２２および循環ファンケース３２の上面との間に形成される連通した空間で、他室吸込風路２４が形成される。
【００３３】
浴室換気乾燥暖房装置１Ａは、換気吸込口２２ｃと循環ファン吸込口３２ｂが、フロントパネル１１の吸込口グリル１１ａと繋がり、循環ファン吹出口３２ｃが、フロントパネル１１の吹出口グリル１１ｂと繋がる。
【００３４】
副吸込ダクトジョイント５０が接続される装置本体１０の側面とは反対側の側面に形成される装置本体１０の排気吹出口２２ｅには、排気ダクトジョイント４０が取り付けられている。排気ダクトジョイント４０は、排気ダクト接続部材の一例であり、施工時に天井１００ａの開口部１００ｂの浴室側の開口縁に配置され、装置本体１０の天井１００ａへの取り付けにより天井１００ａに固定される。排気ダクトジョイント４０には、排気ダクト１２が接続される。
【００３５】
装置本体１０の副吸込口２２ｄには、副吸込ダクトジョイント５０が取り付けられている。副吸込ダクトジョイント５０は、吸込ダクト接続部材の一例であり、施工時に開口部１００ｂの開口縁の位置にフランジ部５３を介して仮止めされ、装置本体１０の天井１００ａへの取り付けにより天井１００ａに固定される。副吸込ダクトジョイント５０には、副吸込ダクト１３０が接続される。
【００３６】
これにより、浴室換気乾燥暖房装置１Ａは、浴室１００と、洗面脱衣所１０２が、装置本体１０内の浴室吸込風路２３および他室吸込風路２４と、副吸込ダクト１３を介して繋がる風路構成となっている。なお、換気装置としての浴室換気乾燥暖房装置１Ａは、送風手段として循環ファンと換気ファンを独立して備えた構成としたが、風路を切り替えるダンパ等を備えることで、１つのファンで換気送風手段と循環送風手段を実現する構成でも良い。また、換気のみを行う構成でも良い。
【００３７】
[装置本体下面の構成例]
次に、装置本体１０の下面側の構成の一例について説明する。図４は、装置本体１０の下面側の構成の一例を示している。図４に示すように、装置本体１０下面の副吸込ダクトジョイント５０側の本体フランジ部１４には、副吸込ダクトジョイント５０の突出片５４が挿入される本体フランジ孔１８と、突出片５６が挿入される本体フランジ孔１９とがそれぞれ形成されている。装置本体１０下面の排気ダクトジョイント４０側の本体フランジ部１４には、排気ダクトジョイント４０の突出片が挿入される本体フランジ孔１８が形成されている。
【００３８】
また、装置本体１０の本体フランジ部１４の下面には、仮止め部材６０を装着するための収容部１５が設けられている。収容部１５は、副吸込ダクトジョイント５０および排気ダクトジョイント４０のそれぞれの配置位置に対応した位置に設けられ、仮止め部材６０を所定のスライド長で保持することが可能な凹部により構成されている。
【００３９】
図５は、収容部１５の構成の一例を示している。図５に示すように、収容部１５は、挿脱口１６と保持部１５ａとガイド溝１７とを有している。挿脱口１６は、仮止め部材６０を収容部１５に装着したり、仮止め部材６０を収容部１５から取り外ししたりするための部位であり、仮止め部材６０の外径よりも若干大きな開口径からなる。
【００４０】
保持部１５ａは、仮止め部材６０のスライド部６３，６４（図６参照）間の幅よりも狭くなるように互いに内側に延出して設けられ、仮止め部材６０のスライド部６３，６４を保持することで仮止め部材６０の装置本体１０からの落下を防止する。
【００４１】
ガイド溝１７は、収容部１５を構成する凹部側壁であって本体フランジ部１４の長さ方向（短手方向）に沿って形成され、仮止め部材６０のスライド部６３，６４をスライド可能に支持する。なお、ガイド溝１７の入口側にロック機構を設け、ガイド溝１７に挿入した仮止め部材６０の挿脱口１６側へのスライドを規制することで、仮止め部材６０が収容部１５から外れないようにすることもできる。
【００４２】
［仮止め部材の構成例］
次に、仮止め部材６０の構成の一例について説明する。図６（Ａ）は仮止め部材６０の構成の一例を示す斜視図であり、図６（Ｂ）はその平面図であり、図６（Ｃ）はその側面図であり、図６（Ｄ）はその正面図である。なお、図中紙面右側を仮止め部材６０の前方とし、左側を後方とする。また、図中紙面の上側を仮止め部材６０の上面とするが、本体フランジ部１４への取り付け時には、仮止め部材６０が上下反転された状態で本体フランジ部１４に取り付けられる。
【００４３】
図６（Ａ）〜図６（Ｄ）に示すように、仮止め部材６０は、例えば樹脂材料により所定形状に形成された成型体であって、仮止め部材本体６１と挿入部６２とスライド部６３，６４と操作部６５と受け部６６とを備えている。なお、受け部６６については後述する。
【００４４】
仮止め部材本体６１は、所定の厚みを有した細長の直方体形状からなり、本体フランジ部１４の収容部１５に収容可能な大きさに選定される。挿入部６２は、仮止め部材本体６１の先端面に、基端部から先端部に向かって径が徐々に小さくなるように形成され、先細り形状となっている。挿入部６２の外径は、少なくとも副吸込ダクトジョイント５０のフランジ部５３に設けられた突出片５４の孔５５（図７参照）の径よりも小さくなるように選定され、突出片５４の孔５５に挿脱可能な構成となっている。
【００４５】
スライド部６３，６４は、片持ちの弾性体であって、一端部が仮止め部材本体６１の左右の側面部前方のそれぞれに取り付けられ、他端部が仮止め部材本体６１の側面部と一定間隔を隔てて後方に向かって延在した自由端となっている。スライド部６３，６４は、収容部１５のガイド溝１７に縮めた状態で係合され、フランジ部５３の長さ方向に沿ってスライドする。そのため、スライド部６３，６４には、内側に押される力に抗した弾性力が働くことで、仮止め部材６０がガイド溝１７の所定位置にて弾性支持される。
【００４６】
操作部６５は、仮止め部材６０をスライドさせる際にユーザーが把持するための部位であり、仮止め部材本体６１の上面後部側に設けられている。本例では、操作部６５は、施工者が把持し易いように、仮止め部材本体６１の上面から例えば略半円形状に突出した形状に形成されている。
【００４７】
［副吸込ダクトジョイントの構成例］
次に、副吸込ダクトジョイント５０の構成の一例について説明する。図７（Ａ）は副吸込ダクトジョイント５０の構成の一例を示す斜視図であり、図７（Ｂ）はその正面図であり、図７（Ｃ）その底面図であり、図７（Ｄ）はその右側面図であり、図７（Ｅ）はその左側面図である。
【００４８】
図７（Ａ）〜図７（Ｅ）に示すように、副吸込ダクトジョイント５０は、ジョイント本体５１と接続口５２とフランジ部５３と突出片５４，５６とを有している。ジョイント本体５１は、装置本体１０の側面と略同一の大きさを有する板金等から構成されている。接続口５２は、円筒状をなし、ジョイント本体５１の外面部に取り付けられている。
【００４９】
フランジ部５３は、ジョイント本体５１の下端部から外方向に突出するようにして形成され、施工時に装置本体１０の本体フランジ部１４に重ね合わされる。本例においてフランジ部５３は、フランジ部５３の幅方向の両端部のそれぞれが中央部よりも張り出した形状となっている。
【００５０】
突出片５４は、保持部の一例であり、本体フランジ部１４の本体フランジ孔１８に対応した位置（図４参照）であって、かつ、フランジ部５３下面から突出して設けられている。本例において突出片５４は、フランジ部５３の張り出した部分の内側が下方に折り曲げ加工（切起こし）されることで形成される。突出片５４は、本体フランジ部１４の本体フランジ孔１８に挿入して重ね合わせたときに、本体フランジ部１４下面から所定の長さだけ突出する長さに選定される。突出片５４には、本体フランジ部１４に設けられた仮止め部材６０が挿脱される孔５５が形成されている。孔５５の径は、少なくとも仮止め部材６０の挿入部６２の外径よりも大きくなるように選定される。このように、突出片５４は、本体フランジ部１４の本体フランジ孔１８に挿入することで装置本体１０の位置合わせ部材として機能すると共に、装置本体１０を副吸込ダクトジョイント５０に保持するための保持機能を有する。
【００５１】
突出片５６は、本体フランジ部１４の本体フランジ孔１９に対応した位置（図４参照）であって、かつ、フランジ部５３下面から突出して設けられている。突出片５６は、本体フランジ部１４を本体フランジ孔１９に挿入して重ね合わせたときに、本体フランジ部１４下面から所定の長さだけ突出する長さに選定される。このように、突出片５６は、本体フランジ部１４の本体フランジ孔１９に挿入することで、装置本体１０の位置合わせ部材として機能する。
【００５２】
なお、排気ダクトジョイント４０については、副吸込ダクトジョイント５０と略同一の構成および機能を有するため、詳細な説明は省略するが、副吸込ダクトジョイント５０と同様に、ジョイント本体と接続口とフランジ部と突出片とを備えている。
【００５３】
［装置本体の施工工程例］
次に、本発明に係る浴室換気乾燥暖房装置１Ａを天井１００ａに取り付ける際の施工工程の一例について説明する。図８（Ａ）〜図８（Ｆ）は、浴室換気乾燥暖房装置１Ａを天井１００ａに取り付ける際の施工工程の一例を示している。図９および図１０は、施工時の副吸込ダクトジョイント５０のフランジ部５３および装置本体１０の本体フランジ部１４の状態を示している。
【００５４】
まず、副吸込ダクト１３を副吸込ダクトジョイント５０に差し込み、その接続部をアルミテープにより巻くことで、副吸込ダクト１３を副吸込ダクトジョイント５０に固定する。続けて、図８（Ａ）に示すように、副吸込ダクトジョイント５０のフランジ部５３を仮止め用孔が開いている浴室１００側の天井面に突き当て、副吸込ダクトジョイント５０の丸孔にねじを差し込んでねじ止め（仮止め）する。このとき、副吸込ダクトジョイント５０が垂直となるように天井１００ａに固定する。
【００５５】
次に、アルミテープ等を用いて排気ダクトジョイント４０に排気ダクト１２を接続した後、排気ダクトジョイント４０を装置本体１０の排気吹出口２２ｅに取り付けて、装置本体１０と一体化する。このとき、図８（Ｂ）に示すように、排気ダクトジョイント４０は、装置本体１０の上方にスライドさせた状態とする。
【００５６】
次に、図８（Ｃ）に示すように、排気ダクトジョイント４０等が取り付けられた装置本体１０を天井１００ａまで持ち上げて、排気ダクト１２側から開口部１００ｂに差し込み、装置本体１０のもう一方側も開口部１００ｂに差し込む。このとき、排気ダクトジョイント４０を装置本体１０に対して上方位置にスライドさせているので、装置本体１０のもう一方側が天井１００ａに接触することはない。
【００５７】
次に、図８（Ｄ）に示すように、装置本体１０を水平姿勢にした状態で、装置本体１０を副吸込ダクトジョイント５０側に突き当てる。これにより、取り付けの際の位置ずれを防止できる。
【００５８】
次に、図８（Ｅ）に示すように、排気ダクトジョイント４０のツメ４１が天井１００ａの天井板に引っ掛かっていることを確認した後に、装置本体１０を上方にスライドさせる。このとき、図９に示すように、副吸込ダクトジョイント５０の突出片５４が装置本体１０の本体フランジ孔１８に対向した位置になると共に、突出片５６が装置本体１０の本体フランジ孔１９に対向した位置になる。
【００５９】
次に、図８（Ｆ）に示すように、装置本体１０を上方にスライドさせていき排気ダクトジョイント４０および副吸込ダクトジョイント５０のそれぞれに差し込み、装置本体１０の本体フランジ部１４を副吸込ダクトジョイント５０のフランジ部５３等に重ね合わせる。この重ね合わせにより、図１０に示すように、フランジ部５３の突出片５４が装置本体１０の本体フランジ部１４の本体フランジ孔１８から突き出し、フランジ部５３の突出片５６が本体フランジ部１４の本体フランジ孔１９から突き出す。排気ダクトジョイント４０側についても、同様に、突出片が本体フランジ部１４の本体フランジ孔１８から突き出す。これにより、装置本体１０の天井１００ａへの取り付けの際の位置ずれを確実に防止できると共に、装置本体１０が正確な位置におさまっているか否かを簡易に確認できる。
【００６０】
次に、装置本体１０を排気ダクトジョイント４０および副吸込ダクトジョイント５０のそれぞれに差し込んだら、装置本体１０を排気ダクトジョイント４０および副吸込ダクトジョイント５０のそれぞれに仮止めする。以下では、副吸込ダクトジョイント５０に装置本体１０を仮止めする場合について説明する。
【００６１】
図１１（Ａ）および図１２（Ｂ）は、装置本体１０の仮止め時における仮止め部材６０の動作の一例を示している。図１１（Ａ）に示すように、フランジ部５３の突出片５４が本体フランジ部１４の本体フランジ孔１８から突き出していることを確認したら、本体フランジ部１４の仮止め部材６０の操作部６５を把持し、図１１（Ｂ）に示すように、仮止め部材６０を突出片５４側にスライドさせることで、挿入部６２を突出片５４の孔５５に挿入させる。これにより、突出片５４が仮止め部材６０に係止されることで、装置本体１０を副吸込ダクトジョイント５０を介して天井１００ａに仮止めすることができる。
【００６２】
なお、排気ダクトジョイント４０についでも副吸込ダクトジョイント５０の場合と同様に、仮止め部材６０を突出片の孔に挿入することで、装置本体１０を排気ダクトジョイント４０を介して天井１００ａに仮止めすることができる。
【００６３】
[装置本体ネジ止め忘れ防止構造]
次に、装置本体１０を仮止め部材６０を用いて仮止めした後に、装置本体取付ネジ１１０（図３参照）により装置本体１０を天井１００ａに固定していない場合に、装置本体１０を天井１００ａに固定していないことを施工者に認識させる、本体ネジ止め忘れ防止構造について説明する。本例では、装置本体ネジ止め忘れ防止構造として、装置本体１０と天井１００ａとの間に隙間Ｓを空ける構造を採用した。
【００６４】
図７（Ｅ）に示したように、突出片５４に形成される孔５５は長孔で構成され、その孔５５の長手の開口径Ｗ２は仮止め部材６０の挿入部６２の外径Ｗ１（図６（Ｄ））よりも大きく選定されている。この孔５５の開口径Ｗ２と挿入部６２の外径Ｗ１との差（隙間）だけ、装置本体１０が副吸込ダクトジョイント５０に対して下方に下がるようになっている。
【００６５】
仮止め部材６０には、図６に示したように、装置本体１０が副吸込ダクトジョイント５０に対して下がったときに、突出片５４の孔５５の下端縁を支持するための受け部６６が設けられている。受け部６６は、例えば、挿入部６２の上面部を切り欠いて形成される。なお、排気ダクトジョイント４０側の突出片や仮止め部材６０の構成等については、上述した副吸込ダクトジョイント５０と同様であるため、説明を省略する。
【００６６】
図１２は、装置本体１０を副吸込ダクトジョイント５０および排気ダクトジョイント４０の両方に仮止めした後に、装置本体１０を天井１００ａに固定していない場合の装置本体１０の状態を示している。図１３は、副吸込ダクトジョイント５０側の仮止めの状態を示している。
【００６７】
図１２および図１３に示すように、装置本体１０を仮止めした後に手を離すと、副吸込ダクトジョイント５０側では、フランジ部５３の突出片５４に長孔の孔５５が設けられているので、装置本体１０の副吸込ダクトジョイント５０側が副吸込ダクトジョイント５０に対して下方に傾いて下がる。これにより、装置本体１０の副吸込ダクトジョイント５０側の本体フランジ部１４と天井１００ａとの間に隙間Ｓ１が形成される。このとき、図１３に示すように、仮止め部材６０の受け部６６によって、突出片５４の孔５５の下側開口縁が支持される。
【００６８】
また、排気ダクトジョイント４０側では、排気ダクトジョイント４０が天井１００ａに固定されていないと共に、装置本体１０と天井１００ａとの間には若干の隙間が空いているので、装置本体１０の自重により下方に傾いて下がる。このとき、排気ダクト１２の下面が天井１００ａ裏面に載った（引っ掛かった）状態となるので、装置本体１０が傾いた所定の位置で止まる。これに加えて、排気ダクトジョイント４０側は仮止めされているので、フランジ部５３の突出片５４に設けられた長孔により、装置本体１０が排気ダクトジョイント４０に対して傾いて下がる。これにより、装置本体１０の排気ダクトジョイント４０側の本体フランジ部１４と天井１００ａとの間にも隙間Ｓ１よりも大きい隙間Ｓ２が形成される。
【００６９】
施工者は、この隙間Ｓ１，Ｓ２を見ることで、装置本体１０が天井１００ａに固定されていないことを知ることができる。また、フロントパネル１１を装置本体１０に押し当てた際に、隙間Ｓ１，Ｓ２を把握することができるので、装置本体１０が天井１００ａに固定されていないことを知ることができる。
【００７０】
［副吸込ダクトジョイン側のみに仮止め機能を設けた場合]
上述した実施の形態では、副吸込ダクトジョイント５０および排気ダクトジョイント４０の両方に仮止め機能を設けたが、副吸込ダクトジョイント５０のみに仮止め機能を設けることもできる。図１４は、装置本体１０を副吸込ダクトジョイント５０に仮止めした後に、装置本体１０を天井１００ａに固定していない場合の装置本体１０の状態を示している。
【００７１】
図１４に示すように、副吸込ダクトジョイント５０に装置本体１０を仮止めした後に手を離すと、副吸込ダクトジョイント５０側では、フランジ部５３の突出片５４に長孔の孔５５が設けられているので、装置本体１０が副吸込ダクトジョイント５０に対して下方に下がった位置で止まる。これにより、装置本体１０の副吸込ダクトジョイント５０側の本体フランジ部１４と天井１００ａとの間には隙間Ｓ３が形成される。
【００７２】
また、排気ダクトジョイント４０側では、排気ダクトジョイント４０が天井１００ａに固定されていないと共に、装置本体１０と天井１００ａとの間には若干の隙間が空いているので、装置本体１０が下方に傾いて下がる。このとき、排気ダクト１２の下面が天井１００ａ裏面に引っ掛かった状態となるので、装置本体１０が所定の傾いた位置で止まる。
【００７３】
さらに、排気ダクトジョイント４０側には仮止め機能がないので、装置本体１０がその自重により排気ダクトジョイント４０に対して若干スライドして下方に下がるが、排気ダクトジョイント４０との摺動抵抗により装置本体１０が排気ダクトジョイント４０の所定位置にて停止する。これにより、装置本体１０の排気ダクトジョイント４０側の本体フランジ部１４と天井１００ａとの間にも隙間Ｓ４が形成される。排気ダクトジョイント４０側の隙間Ｓ４は、副吸込ダクトジョイント５０側の隙間Ｓ３よりも広い隙間となっている。
【００７４】
これにより、施工者は、この隙間Ｓ３，Ｓ４を見ることで、装置本体１０が天井１００ａに固定されていないことを知ることができる。また、フロントパネル１１を装置本体１０に押し当てた際に、隙間Ｓ３，Ｓ４を把握することができるので、装置本体１０が天井１００ａに固定されていないことを知ることができる。
【００７５】
［一室タイプの浴室換気乾燥暖房装置を用いた場合]
上述した実施の形態では、浴室１００や洗面脱衣所１０２等の複数の室の換気等を行う浴室換気乾燥暖房装置１Ａを用いたが、浴室１００の１室のみの換気等を行う浴室換気乾燥暖房装置１Ｂにも本実施の形態に係る仮止め機能を適用することができる。
【００７６】
ここで、１室タイプの浴室換気乾燥暖房装置１Ｂは、浴室１００のみの換気を行うので、洗面脱衣所１０２等の換気を行うための副吸込ダクトジョイント５０等は設けられていない。そのため、上述した仮止め機能は、装置本体１０の排気ダクトジョイント４０側の一方側のみに設けられる。この排気ダクトジョイント４０は、上述したように、装置本体１０の側面１０ａに設けられた図示しないガイド部に対してスライド可能に取り付けられると共に、浴室１００側の天井１００ａにネジ等の締結部材により取り付けられる。
【００７７】
図１５は、１室タイプの浴室換気乾燥暖房装置１Ｂを用いた場合であって、装置本体１０を排気ダクトジョイント４０に仮止めした後に、装置本体１０を天井１００ａに固定していない場合の装置本体１０の状態を示している。図１５に示すように、排気ダクトジョイント４０に装置本体１０を仮止めした後に手を離すと、排気ダクトジョイント４０側では、フランジ部５３の突出片に設けられた長孔により、装置本体１０が排気ダクトジョイント４０に対して下方にスライドして下がる。これにより、装置本体１０の本体フランジ部１４と天井１００ａとの間に隙間Ｓ５が形成される。
【００７８】
また、排気ダクトジョイント４０が接続される装置本体１０の側面１０ａとは反対側の側面１０ｂでも、装置本体１０と天井１００ａとの間に設けられる隙間により、装置本体１０が下方に傾いて下がるが、装置本体１０の側面１０ｂが天井１００ａの開口縁に当たることで所定の位置で止まる。これにより、装置本体１０の本体フランジ部１４と天井１００ａとの間にも隙間Ｓ６が形成される。排気ダクトジョイント４０側の隙間Ｓ６は、副吸込ダクトジョイント５０側の隙間Ｓ５よりも広い隙間となっている。
【００７９】
これにより、施工者は、この隙間Ｓ５，Ｓ６を見ることで、装置本体１０が天井１００ａに固定されていないことを知ることができる。また、フロントパネル１１を装置本体１０に押し当てた際に、隙間Ｓ５，Ｓ６を把握することができるので、装置本体１０が天井１００ａに固定されていないことを知ることができる。
【００８０】
以上説明したように、本実施の形態によれば、施工に必要な副吸込ダクトジョイント５０のフランジ部５３に孔５５を有する突出片５４を設け、装置本体１０の本体フランジ部１４に仮止め部材６０を設けることで、従来のように、取付枠やばね材金具等を用いることなく、副吸込ダクトジョイント５０に装置本体１０を仮止めすることができる。排気ダクトジョイント４０についても同様に、突出片を設けているので、排気ダクトジョイント４０に装置本体１０を仮止めすることができる。
【００８１】
これにより、取付枠を天井１００ａに取り付ける際のネジ等の削減による施工時間の短縮を図ることができる。また、取付枠等を用いる必要がないので、浴室換気乾燥暖房装置１Ａの重量を軽くすることができると共に、その分コストダウンを図ることができる。
【００８２】
また、浴室１００側から仮止め部材６０を操作して、装置本体１０を副吸込ダクトジョイント５０や排気ダクトジョイント４０に仮止めすることができるので、メンテナンス時の天井１００ａからの装置本体１０の取り出しや再施工を容易に行うことができる。これにより、施工者の作業の手間を省くことができるので、施工時間の短縮を図ることができる。
【００８３】
さらに、従来では、本体取付用ネジが天井１００ａにネジ止めされていなくても、仮止め部材で施工できてしまうため、本体取付用ネジの締め忘れが起こす場合があった。これに対し、本実施の形態によれば、装置本体１０を仮止め部材６０等を用いて仮止めした後に、装置本体取付ネジ１１０により装置本体１０を天井１００ａに固定していない場合に、装置本体１０を天井１００ａに固定していないことを施工者に認識させる、装置本体ネジ止め忘れ防止構造を備えているので、装置本体１０が天井１００ａにねじ止めされていないことを確実に知ることができる。これにより、施工不良等を確実に回避することができる。
【００８４】
なお、本発明の技術範囲は、上述した実施形態に限定されるものではなく、本発明の趣旨を逸脱しない範囲において、上述した実施形態に種々の変更を加えたものを含む。上述した実施の形態では、副吸込ダクトジョイント５０や排気ダクトジョイント４０に孔５５を有する突出片５４を設け、装置本体１０にスライド可能な仮止め部材６０を設けることで仮止め機能を実現したが、これに限定されることはない。
【００８５】
例えば、副吸込ダクトジョイント５０のフランジ部５３に仮固定金具を設け、本体フランジ部１４に金具用孔を設け、仮固定金具を金具用孔に挿入して回転させることで、装置本体１０を仮固定金具によって天井１００ａに仮止めするようにしても良い。また、副吸込ダクトジョイント５０のフランジ部５３等にバネ部材を設け、本体フランジ部１４にバネ用孔を設け、撓ませたバネ部材をバネ用孔に挿入させた後に開くことで、装置本体１０をバネ仮固定金具によって天井１００ａに仮止めするようにしても良い。排気ダクトジョイント４０についても副吸込ダクトジョイント５０と同様の構成を採用できる。
【００８６】
また、上記実施の形態では、副吸込ダクトジョイント５０および排気ダクトジョイント４０の両方に仮止め機能を設けたが、何れか一方のダクトジョイントに仮止め機能を設けるようにしても良い。さらに、上記実施の形態とは逆に、副吸込ダクトジョイント５０や排気ダクトジョイント４０のフランジ部５３に仮止め部材を設け、本体フランジ部１４に副吸込ダクトジョイント５０側に突出する突出片を設けることもできる。
【符号の説明】
【００８７】
１Ａ  浴室換気乾燥暖房装置（換気装置）
１４  本体フランジ部
２２ｄ  副吸込口（吸込口）
２２ｅ  排気吹出口（排気口）
４０  排気ダクト接続部材（排気ダクトジョイント）
５０  副吸込ダクト接続部材（吸込ダクトジョイント）
５３  フランジ部
５４  突出片（保持部）
５５  孔
６０  仮止め部材（係止部,擦動部材）
１００ａ  天井
１００ｂ  開口部
【図１】
2014035156.tif 000003
【図２】
2014035156.tif 000004
【図３】
2014035156.tif 000005
【図４】
2014035156.tif 000006
【図５】
2014035156.tif 000007
【図６】
2014035156.tif 000008
【図７】
2014035156.tif 000009
【図８】
2014035156.tif 000010
【図９】
2014035156.tif 000011
【図１０】
2014035156.tif 000012
【図１１】
2014035156.tif 000013
【図１２】
2014035156.tif 000014
【図１３】
2014035156.tif 000015
【図１４】
2014035156.tif 000016
【図１５】
2014035156.tif 000017